【手続補正書】
【提出日】令和2年3月4日(2020.3.4)
【手続補正１】
【補正対象書類名】明細書
【補正対象項目名】０００７
【補正方法】変更
【補正の内容】
【０００７】
本発明に係る楽音生成装置は、第１の読み出し速度を有するとともに第１の記憶容量を有し、複数の波形データを記憶している第１の記憶手段と、前記第１の読み出し速度よりも速い第２の読み出し速度を有するとともに前記第１の記憶容量よりも小さい第２の記憶容量を有し、前記第１の記憶手段から読み込まれた波形データを記憶する複数の記憶領域を有する第２の記憶手段と、前記複数の記憶領域のなかのいずれかの記憶領域が可変的に対応付けられる複数の波形読出装置を有する波形発生器と、発音に用いる波形データが前記複数の記憶領域のなかのいずれかの記憶領域に記憶されている場合に、前記いずれかの記憶領域を、前記いずれかの記憶領域に対応付けられた波形読出装置に読み込ませ、発音に用いる波形データが前記複数の記憶領域のいずれにも記憶されていない場合に、いずれの波形読出装置も読み込んでいない記憶領域及び、読み込んでいる波形読出装置の数が他の記憶領域よりも少ない記憶領域のいずれかに、発音に用いる波形データを前記第１の記憶手段から転送し、転送された記憶領域を、前記転送された記憶領域に対応付けられた波形読出装置に読み込ませる制御手段と、ことを特徴とする。
【手続補正２】
【補正対象書類名】特許請求の範囲
【補正対象項目名】全文
【補正方法】変更
【補正の内容】
【特許請求の範囲】
【請求項１】
第１の読み出し速度を有するとともに第１の記憶容量を有し、複数の波形データを記憶している第１の記憶手段と、
前記第１の読み出し速度よりも速い第２の読み出し速度を有するとともに前記第１の記憶容量よりも小さい第２の記憶容量を有し、前記第１の記憶手段から読み込まれた波形データを記憶する複数の記憶領域を有する第２の記憶手段と、
前記複数の記憶領域のなかのいずれかの記憶領域が可変的に対応付けられる複数の波形読出装置を有する波形発生器と、
発音に用いる波形データが前記複数の記憶領域のなかのいずれかの記憶領域に記憶されている場合に、前記いずれかの記憶領域を、前記いずれかの記憶領域に対応付けられた波形読出装置に読み込ませ、発音に用いる波形データが前記複数の記憶領域のいずれにも記憶されていない場合に、いずれの波形読出装置も読み込んでいない記憶領域及び、読み込んでいる波形読出装置の数が他の記憶領域よりも少ない記憶領域のいずれかに、発音に用いる波形データを前記第１の記憶手段から転送し、転送された記憶領域を、前記転送された記憶領域に対応付けられた波形読出装置に読み込ませる制御手段と、
を備える楽音生成装置。
【請求項２】
前記第１の記憶手段は、複数の音色それぞれに対応する波形データを記憶し、
前記第２の記憶手段の複数の記憶領域は、前記第１の記憶手段から読み込まれた波形データを音色の情報と対応付けて記憶し、
前記制御手段は、音色を指定した発音が指示されたときに、前記指定された音色に対応する波形データが前記複数の記憶領域のなかのいずれかの記憶領域に記憶されている場合に、前記いずれかの記憶領域を、前記いずれかの記憶領域に対応付けられた波形読出装置に読み込ませ、前記指定された音色に対応する波形データが前記複数の記憶領域のいずれにも記憶されていない場合に、いずれの波形読出装置も読み込んでいない記憶領域及び、読み込んでいる波形読出装置の数が他の記憶領域よりも少ない記憶領域のいずれかに、前記指定された音色に対応する波形データを前記第１の記憶手段から転送し、転送された記憶領域を、前記転送された記憶領域に対応付けられた波形読出装置に読み込ませる、
請求項１に記載の楽音生成装置。
【請求項３】
前記制御手段は、前記指定された音色に対応する前記波形データを、前記第１の記憶手段から前記第２の記憶手段のなかの第１の記憶領域に転送した場合に、前記指定された音色の情報を前記第１の記憶領域と対応付けて記憶する、
請求項２に記載の楽音生成装置。
【請求項４】
前記制御手段は、前記複数の記憶領域と前記複数の波形読出装置とを、１対１の関係で対応付けて管理する、
請求項１乃至３のいずれか１項に記載の楽音生成装置。
【請求項５】
前記制御手段は、
前記発音が指示されたときに、前記複数の波形読出装置の中から発音中ではない波形読出装置を、前記指示された発音に用いる波形読出装置として選択する、
請求項１乃至４のいずれか１項に記載の楽音生成装置。
【請求項６】
前記第２の記憶手段は、発音を伴う演奏の開始に先立って、所定の条件を満たす波形データを固定的に記憶しておく固定記憶領域と、演奏中に指定されて、前記第１の記憶手段から転送された波形データを可変的に記憶しておく可変記憶領域と、を有し、
前記制御手段は、発音に用いる波形データが前記第２の記憶手段に記憶されていない場合に、発音に用いる波形データを前記第１の記憶手段から前記第２の記憶手段の前記可変記憶領域に転送する請求項１乃至５のいずれかに記載の楽音生成装置。
【請求項７】
装置が、
第１の読み出し速度を有するとともに第１の記憶容量を有し、複数の波形データを記憶している第１の記憶手段から波形データを読み込み、
前記第１の記憶手段から読み込まれた波形データを、前記第１の読み出し速度よりも速い第２の読み出し速度を有するとともに前記第１の記憶容量よりも小さい第２の記憶容量を有し、前記第１の記憶手段から読み込まれた波形データを記憶する複数の記憶領域を有する第２の記憶手段に記憶させ、
前記複数の記憶領域のなかのいずれかの記憶領域を複数の波形読出装置のなかのいずれかの波形読出装置に対して可変的に対応付け、
発音に用いる波形データが前記複数の記憶領域のなかのいずれかの記憶領域に記憶されている場合に、前記いずれかの記憶領域を、前記いずれかの記憶領域に対応付けられた波形読出装置に読み込ませ、発音に用いる波形データが前記複数の記憶領域のいずれにも記憶されていない場合に、いずれの波形読出装置も読み込んでいない記憶領域及び、読み込んでいる波形読出装置の数が他の記憶領域よりも少ない記憶領域のいずれかに、発音に用いる波形データを前記第１の記憶手段から転送し、転送された記憶領域を、前記転送された記憶領域に対応付けられた波形読出装置に読み込ませる、
楽音生成方法。
【請求項８】
コンピュータに、
第１の読み出し速度を有するとともに第１の記憶容量を有し、複数の波形データを記憶している第１の記憶手段から波形データを読み込み、
前記第１の記憶手段から読み込まれた波形データを、前記第１の読み出し速度よりも速い第２の読み出し速度を有するとともに前記第１の記憶容量よりも小さい第２の記憶容量を有し、前記第１の記憶手段から読み込まれた波形データを記憶する複数の記憶領域を有する第２の記憶手段に記憶させ、
前記複数の記憶領域のなかのいずれかの記憶領域を複数の波形読出装置のなかのいずれかの波形読出装置に対して可変的に対応付け、
発音に用いる波形データが前記複数の記憶領域のなかのいずれかの記憶領域に記憶されている場合に、前記いずれかの記憶領域を、前記いずれかの記憶領域に対応付けられた波形読出装置に読み込ませ、発音に用いる波形データが前記複数の記憶領域のいずれにも記憶されていない場合に、いずれの波形読出装置も読み込んでいない記憶領域及び、読み込んでいる波形読出装置の数が他の記憶領域よりも少ない記憶領域のいずれかに、発音に用いる波形データを前記第１の記憶手段から転送し、転送された記憶領域を、前記転送された記憶領域に対応付けられた波形読出装置に読み込ませる、
処理を実行させるための楽音生成プログラム。
【請求項９】
第１の読み出し速度を有するとともに第１の記憶容量を有し、複数の波形データを記憶している第１の記憶手段と、
前記第１の読み出し速度よりも速い第２の読み出し速度を有するとともに前記第１の記憶容量よりも小さい第２の記憶容量を有し、前記第１の記憶手段から読み込まれた波形データを記憶する複数の記憶領域を有する第２の記憶手段と、
前記複数の記憶領域のなかのいずれかの記憶領域が可変的に対応付けられる複数の波形読出装置を有する波形発生器と、
ユーザ操作で指定される楽音の発音に用いる波形データを選択する波形選択手段と、
前記波形選択手段により選択された波形データが前記複数の記憶領域のなかのいずれかの記憶領域に記憶されている場合に、前記いずれかの記憶領域を、前記いずれかの記憶領域に対応付けられた波形読出装置に読み込ませ、前記波形選択手段により選択された波形データが前記複数の記憶領域のいずれにも記憶されていない場合に、いずれの波形読出装置も読み込んでいない記憶領域及び、読み込んでいる波形読出装置の数が他の記憶領域よりも少ない記憶領域のいずれかに、前記波形選択手段により選択された波形データを前記第１の記憶手段から転送し、転送された記憶領域を、前記転送された記憶領域に対応付けられた波形読出装置に読み込ませる制御手段と、
前記波形発生器が発生した楽音を出力する出力手段と、
を備える電子楽器。